(57)【要約】      （修正有）【課題】家庭あるいは屋外で簡便に使用でき、移動型であって、部品点数が少なくて、コストの安い電気ヒーター付き携帯用鯛焼器を提供する。【解決手段】上蓋Ｃ１には上鯛型プレートＰＬ１が設置され、下蓋Ｃ２には下鯛型プレートＰＬ２が設置され、上鯛型プレートＰＬ１及び下鯛型プレートＰＬ２は、夫々２つの鯛型を有し、２つの鯛型は、２つの鯛型プレートの接触面について面対称に設けられていると共に、上鯛型プレートＰＬ１及び下鯛型プレートＰＬ２それぞれ垂直中心線について左右対称に設けられていることを特徴とする。【選択図】図１
0003151661.tif 000002
【実用新案登録請求の範囲】
【請求項１】
上蓋と下蓋が蝶番で接合された電気ヒーター付き携帯用鯛焼器において、上蓋には上鯛型プレートが設置され、下蓋には下鯛型プレートが設置され、上鯛型プレート及び下鯛型プレートは、夫々２つの鯛型を有し、２つの鯛型は、２つの鯛型プレートの接触面について面対称に設けられていると共に、上鯛型プレート及び下鯛型プレートそれぞれ垂直中心線について左右対称に設けられていることを特徴とする電気ヒーター付き携帯用鯛焼器。
【請求項２】
上鯛型プレートと下鯛型プレートが、形状的に同一であることを特徴とする請求項１に記載の電気ヒーター付き携帯用鯛焼器。
【請求項３】
上鯛型プレートと下鯛型プレートが、さらに取付部を有し、上鯛型プレートと下鯛型プレートが、形状的に同一であることを特徴とする請求項１に記載の電気ヒーター付き携帯用鯛焼器。
【請求項４】
上鯛型プレートと下鯛型プレートの近傍に電気ヒーターを有し、その周りに断熱材を有することを特徴とする請求項２に記載の電気ヒーター付き携帯用鯛焼器。
【考案の詳細な説明】
【技術分野】
【０００１】
本考案は、電気ヒーター付き携帯用鯛焼器に関する。
【０００２】
より詳しくは、部品数の少ない電気ヒーター付き携帯用鯛焼器に関する。
【背景技術】
【０００３】
従来、２つの鯛型を有する上蓋と下蓋が蝶番で接合された構成の菓子焼き器具が知られていた（下記の特許文献１、特許文献２を参照）。
【０００４】
しかし、店で焼く設置型の菓子焼き器具ではなく、家庭あるいは屋外で簡便に焼く携帯型の菓子焼き器具のニーズがあり、家庭あるいは屋外で簡便に焼く携帯型の菓子焼き器具、特に電気ヒーター付き携帯用鯛焼器の出現が望まれていた。
【０００５】
特に、部品点数が少なくて、コストの安い電気ヒーター付き携帯用鯛焼器の出現が望まれていた。
【０００６】
かかる状況に鑑み、出願人は、従来技術を調査した結果、店で焼く設置型の菓子焼き器については、多くの先行技術文献を発見したが、
しかし、家庭あるいは屋外で簡便に焼く携帯型の菓子焼き器具、特に電気ヒーター付き携帯用鯛焼器については、先行技術文献を発見することができなかった。
【０００７】
特に、部品点数が少なくて、コストの安い電気ヒーター付き携帯用鯛焼器ついては、先行技術文献を発見することができなかった。
【特許文献１】実用新案登録第３１１３９２７号公報
【特許文献２】特開２００５−２７８６２２号公報
【考案の開示】
【考案が解決しようとする課題】
【０００８】
（１）本考案が解決しようとする第１課題
本考案が解決しようとする第１課題は、「家庭あるいは屋外で簡便に焼く移動型の電気ヒーター付き携帯用鯛焼器を提供すること」である。
（２）本考案が解決しようとする第２課題
本考案が解決しようとする第２課題は、「部品点数が少なくて、コストの安い電気ヒーター付き携帯用鯛焼器を提供すること」である。
【課題を解決するための手段】
【０００９】
課題を解決するための手段は、本願の［実用新案登録請求の範囲］の各請求項に記載の考案である。
【００１０】
実用新案登録請求の範囲、明細書、図面等の用語の解釈上の疑義を解消すべく、以下用語の説明を行うこととする。
【００１１】
＜用語の説明＞
○鯛型とは、鯛焼きを焼くための鯛の形をした凹型の型をいう。
鯛型（たい焼きの焼型）には、１匹ずつ焼き上げる型（「天然物」、「一本焼き」と呼ばれる）と複数匹を一度に焼き上げる型（「養殖物」）の２種類がある。手間がかかる前者の焼型の使用は減少を続けているが、こだわりを持つたい焼き職人もいる。天然物と養殖物は、焼き方が違い、また火の通り方が異なることから味も違う。
○鯛型プレートとは、二以上の凹型の鯛の形をした鯛型を有するプレートをいう。
【００１２】
より具体的には、鯛型プレートは、プレート部と二以上の鯛型部から構成され、さらに、取付部から構成される場合も有る。
○上蓋とは、上鯛型プレートを覆う蓋をいう。
○下蓋とは、下鯛型プレートを覆う蓋をいう。
○上鯛型プレートとは、上蓋に設置される鯛型プレートをいう。
○下鯛型プレートとは、下蓋に設置される鯛型プレートをいう。
○蝶番とは、上蓋と下蓋をを自由に開閉するために取り付ける金具。２枚の金属板と１本の回転軸からなり、形がチョウに似た金具をいう。
○接触面とは、上蓋と下蓋が閉じられた状態において、上鯛型プレート面と下鯛型プレート面とが接触している面をいう。
○水平線（Ｘ−Ｘ）とは、蝶番の軸線をいう。
○垂直中心線（Ｙ−Ｙ）とは、蝶番の軸線に対して直角であって、上鯛型プレート（又は下鯛型プレート）の重心を通過する線をいう。
○面対称とは、上鯛型プレートと下鯛型プレートの形状図形が、接触面について互いに向き合う位置関係にあることをいう。
○左右対称とは、上鯛型プレート（又は下鯛型プレート）の形状図形が、垂直中心線について互いに向き合う位置関係にあることをいう。
【００１３】
なお、左右は、水平線（Ｘ−Ｘ）に向かって左右方向が決定される。
○形状的に同一とは、例えば、同一の型により成型されたことをいう。
○電気ヒーターとは、ニクロム線などの抵抗の大きい金属線に電流を流して発熱させる装置をいう。
○断熱材とは、熱の遮断および保温のために用いる、熱を伝えにくい材料（石綿・ガラス繊維・コルクなど）をいう。
上鯛型プレートと下鯛型プレートの近傍に電気ヒーターを有し、その周りに断熱材を有する。
＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
本考案者は、上記の従来の菓子焼き器では解決されない鯛焼器に関する各種問題点に鑑み、鋭意検討を重ねて、本考案を完成したものである。
【００１４】
課題を解決するための手段は、本願の実用新案登録請求の範囲の各請求項に記載の考案であり、その具体的な解決手段は、以下の通りである。
○第１の考案（請求項１に記載の考案）
上記の課題を解決するための第１の考案（請求項１に記載の考案）は、
上蓋と下蓋が蝶番で接合された電気ヒーター付き携帯用鯛焼器において、上蓋には上鯛型プレートが設置され、下蓋には下鯛型プレートが設置され、上鯛型プレート及び下鯛型プレートは、夫々２つの鯛型を有し、２つの鯛型は、２つの鯛型プレートの接触面について面対称に設けられていると共に、上鯛型プレート及び下鯛型プレートそれぞれ垂直中心線について左右対称に設けられていることを特徴とする電気ヒーター付き携帯用鯛焼器である。
○第２の考案（請求項２に記載の考案）
上記の課題を解決するための第２の考案（請求項２に記載の考案）は、
上鯛型プレートと下鯛型プレートが、形状的に同一であることを特徴とする請求項１に記載の電気ヒーター付き携帯用鯛焼器である。
○第３の考案（請求項３に記載の考案）
上記の課題を解決するための第３の考案（請求項３に記載の考案）は、
上鯛型プレートと下鯛型プレートが、さらに取付部を有し、上鯛型プレートと下鯛型プレートが、形状的に同一であることを特徴とする請求項１に記載の電気ヒーター付き携帯用鯛焼器である。
○第４の考案（請求項４に記載の考案）
上記の課題を解決するための第４の考案（請求項４に記載の考案）は、
上鯛型プレートと下鯛型プレートの近傍に電気ヒーターを有し、その周りに断熱材を有することを特徴とする請求項２に記載の電気ヒーター付き携帯用鯛焼器である。
【考案の効果】
【００１５】
本考案に係る、電気ヒーター付き携帯用鯛焼器は、上記のような特徴的構成要件から構成され、特徴的構成要件に応じた、以下のような本願考案特有の効果を奏する。
【００１６】
また、上記のような特徴的構成要件から構成された電気ヒーター付き携帯用鯛焼器によれば、本願考案の課題を十分解消することができた。
○第１の考案の効果
第１の考案によれば、上蓋と下蓋が蝶番で接合された電気ヒーター付き携帯用鯛焼器において、上蓋には上鯛型プレートが設置され、下蓋には下鯛型プレートが設置され、上鯛型プレート及び下鯛型プレートは、夫々２つの鯛型を有し、２つの鯛型は、２つの鯛型プレートの接触面について面対称に設けられていると共に、上鯛型プレート及び下鯛型プレートそれぞれ垂直中心線について左右対称に設けられていることを特徴とする電気ヒーター付き携帯用鯛焼器という特徴的な構成要件により、
家庭あるいは屋外で簡便に焼く移動型の電気ヒーター付き携帯用鯛焼器を提供することができた。
【００１７】
そして、部品点数が少なくて、コストの安い電気ヒーター付き携帯用鯛焼器を提供することができた。
すなわち、本考案が解決しようとする第１課題、及び本考案が解決しようとする第２課題を達成することができ、当業者が予測不可能な顕著な効果を奏することができた。
○第２の考案の効果
第２の考案によれば、上鯛型プレートと下鯛型プレートが、形状的に同一であることを特徴とする請求項１に記載の電気ヒーター付き携帯用鯛焼器、すなわち、本考案の構成をより明確化したことにより、本考案が解決しようとする第１課題、及び本考案が解決しようとする第２課題を達成することができ、当業者が予測不可能な顕著な効果を奏することができた。
○第３の考案の効果
第３の考案によれば、上鯛型プレートと下鯛型プレートが、さらに取付部を有し、上鯛型プレートと下鯛型プレートが、形状的に同一であることを特徴とする請求項１に記載の電気ヒーター付き携帯用鯛焼器という特徴的構成要件により、本考案が解決しようとする第１課題、及び本考案が解決しようとする第２課題を達成することができ、当業者が予測不可能な顕著な効果を奏することができた。
○第４の考案の効果
第４の考案によれば、上鯛型プレートと下鯛型プレートの近傍に電気ヒーターを有し、その周りに断熱材を有することを特徴とする請求項２に記載の電気ヒーター付き携帯用鯛焼器という特徴的構成要件により、本本考案が解決しようとする第１課題、及び本考案が解決しようとする第２課題を達成することができ、当業者が予測不可能な顕著な効果を奏することができた。
【考案を実施するための最良の形態】
【００１８】
以下、本考案に係る、電気ヒーター付き携帯用鯛焼器に関する最良の実施形態について、図面を参照しながら説明する。
図１は、本考案に係る、電気ヒーター付き携帯用鯛焼器の開いた状態の斜視図である。
図２は、本考案に係る、電気ヒーター付き携帯用鯛焼器の閉じた状態の斜視図である。
図３は、本考案に係る、上鯛型プレート（又は、下鯛型プレート）の平面図である。
図４は、本考案に係る、上鯛型プレートと下鯛型プレートの配置図である。
図５は、本考案に係る、上鯛型プレート（又は、下鯛型プレート）の試作品の写真の図である。
＊＊＊＊＊＊＊＊＊＊＊＊＊＊＊＊＊＊＊＊＊＊＊＊＊＊＊＊＊＊＊＊＊＊＊
＊＊＊＊＊＊＊＊＊＊＊＊＊＊＊＊＊＊＊＊＊＊＊＊＊＊＊＊＊＊＊＊＊＊＊
電気ヒーター付き携帯用鯛焼器１００は、上蓋Ｃ１と下蓋Ｃ２と蝶番hを有する。上蓋Ｃ１と下蓋Ｃ２は、蝶番hで接合されている。上蓋Ｃ１には上鯛型プレートＰＬ１が設置され、下蓋Ｃ２には下鯛型プレートＰＬ２が設置され、上鯛型プレートＰＬ１及び下鯛型プレートＰＬ２は、夫々２つの鯛型Ｔ１、Ｔ２を有し、２つの鯛型Ｔ１、Ｔ２は、２つの鯛型プレートＰＬ１、ＰＬ２の接触面Ｓ０について面対称に設けられていると共に、上鯛型プレートＰＬ１及び下鯛型プレートＰＬ２それぞれの垂直中心線Ｙ−Ｙについて左右対称に設けられている。
＊＊＊＊＊＊＊＊＊＊＊＊＊＊＊＊＊＊＊＊＊＊＊＊＊＊＊＊＊＊＊＊＊＊＊
上記電気ヒーター付き携帯用鯛焼器１００において、上鯛型プレートＰＬ１と下鯛型プレートＰＬ２が、形状的に同一である。
＊＊＊＊＊＊＊＊＊＊＊＊＊＊＊＊＊＊＊＊＊＊＊＊＊＊＊＊＊＊＊＊＊＊＊
上記電気ヒーター付き携帯用鯛焼器１００において、上鯛型プレートＰＬ１と下鯛型プレートＰＬ２が、さらに取付部fを有し、上鯛型プレートＰＬ１と下鯛型プレートＰＬ２が、形状的に同一である。
【００１９】
上記電気ヒーター付き携帯用鯛焼器１００において、
上鯛型プレートＰＬ１と下鯛型プレートＰＬ２の近傍に電気ヒーターＥＨを有し、その周りに断熱材ＩＭを有する。
＊＊＊＊＊＊＊＊＊＊＊＊＊＊＊＊＊＊＊＊＊＊＊＊＊＊＊＊＊＊＊＊＊＊＊
さらに、上記電気ヒーター付き携帯用鯛焼器１００において、上蓋Ｃ１と下蓋Ｃ２には、夫々上取手ｇ１、下取手ｇ２が設けられ、上蓋Ｃ１と下蓋Ｃ２は閉じられた状態で、上取手ｇ１、下取手ｇ２を持つことにより、上記電気ヒーター付き携帯用鯛焼器１００を簡便に携帯することができる。
電源ランプＥＲは、電気ヒーター用電源がＯＮになれば、赤色のランプが点灯するようになっている。プレート取手ｐｇは、当該電気ヒーター付き携帯用鯛焼器１００を取り扱いやすいように設けられたものである。
当該電気ヒーター付き携帯用鯛焼器１００には、電気ヒーターＥＨに電力を供給する電源コードｅｃが接続され、電源コードｅｃの先端には電源プラグｅｐが設置されている。また、上蓋Ｃ１と下蓋Ｃ２が閉めたままの状態を保持されるように、ストッパーｓｔが設けられている。
＊＊＊＊＊＊＊＊＊＊＊＊＊＊＊＊＊＊＊＊＊＊＊＊＊＊＊＊＊＊＊＊＊＊＊
○鯛型プレートＰＬの取り付け方
上鯛型プレートＰＬ１を上蓋Ｃ１に取り付ける時は、上鯛型プレートＰＬ１の２つの取付部fを差し込んでから、反対の取付部fをしっかり押える。
【００２０】
下鯛型プレートＰＬ２を下蓋Ｃ２に取り付ける時は、上鯛型プレートＰＬ２の２つの取付部fを差し込んでから、反対の取付部fをしっかり押える。  
○鯛型プレートＰＬの取り外し方
上鯛型プレートＰＬ１を上蓋Ｃ１から取り外す時は、上鯛型プレート外しボタンｂ１を押さえて取り外す。プレート上取手ｇ１を持ち、上鯛型プレートＰＬ１を倒さないように注意する必要がある。
下鯛型プレートＰＬ２を上蓋Ｃ２から取り外す時は、上鯛型プレート外しボタンｂ２を押さえて取り外す。プレート下取手ｇ２を持ち、下鯛型プレートＰＬ２を倒さないように注意する必要がある。
【図面の簡単な説明】
【００２１】
【図１】は、本考案に係る、電気ヒーター付き携帯用鯛焼器の開いた状態の斜視図である。
【図２】は、本考案に係る、電気ヒーター付き携帯用鯛焼器の閉じた状態の斜視図である。
【図３】は、本考案に係る、上鯛型プレート（又は、下鯛型プレート）の平面図である。
【図４】は、本考案に係る、上鯛型プレートと下鯛型プレートの配置図である。具の平面図である。
【図５】は、本考案に係る、上鯛型プレート（又は、下鯛型プレート）の試作品の写真の図である。
【符号の説明】
【００２２】
１００                          電気ヒーター付き携帯用鯛焼器
Ｃ１                            上蓋
Ｃ２                            下蓋
ＰＬ                            鯛型プレート
ＰＬ１                          上鯛型プレート
ＰＬ２                          下鯛型プレート
ｈ                              蝶番
Ｔ、Ｔ１、Ｔ２                  鯛型
f                              取付部
ＥＨ                            電気ヒーター  
ＩＭ                            断熱材
ｇ１                            上取手
ｇ２                            下取手
ｓｔ                            ストッパー
ＥＲ                            電源ランプ
ｅｃ                            電源コード
ｅｐ                            電源プラグ
ｂ１                            上鯛型プレート外しボタン
ｂ２                            下鯛型プレート外しボタン
ｐｇ１                          上プレート取手
ｐｇ２                          下プレート取手
【図１】
0003151661.tif 000003
【図２】
0003151661.tif 000004
【図３】
0003151661.tif 000005
【図４】
0003151661.tif 000006
【図５】
0003151661.tif 000007